(57)【要約】【課題】  通信ネットワークを介して複数のインターホン親機が接続された構成において、呼び出しが転送されてもスムーズな呼び出しを実施できる。【解決手段】  インターホン子機１は、複数のインターホン親機２に対して一斉に呼出信号を送信し、応答操作したインターホン親機２との間で双方向の音声信号の伝送を実施し、一斉に呼び出す呼出先インターホン親機２のグループを記憶する子機メモリ１５を備え、子機メモリ１５には最初に呼び出す通常呼出先グループと転送設定された場合の転送呼出先グループとが記憶され、子機ＣＰＵ１６は通常呼出先グループの中の何れかのインターホン親機２が転送設定に切り替えられたら、呼出先を通常呼出先グループから転送呼出先グループに切り替える。【選択図】  図１
2014229989.tif 000002
【特許請求の範囲】
【請求項１】
呼び出し／通話機能を備えたインターホン子機と、通話機能を備えた複数のインターホン親機とが通信ネットワークを介して接続されたインターホンシステムにおいて、
前記インターホン子機は、複数のインターホン親機に対して一斉に呼出信号を送信し、応答操作したインターホン親機との間で双方向の音声信号の伝送を実施する子機呼出制御部と、
一斉に呼び出す呼出先インターホン親機のグループを記憶する呼出先記憶部とを有し、
前記呼出先記憶部には、最初に呼び出す通常呼出先グループと転送設定された場合の転送呼出先グループとが記憶され、
前記子機呼出制御部は、前記通常呼出先グループの中の何れかのインターホン親機が転送設定に切り替えられたら、呼出先を前記通常呼出先グループから前記転送呼出先グループに切り替えることを特徴とするインターホンシステム。
【請求項２】
前記子機呼出制御部は、前記インターホン子機の呼出先が転送呼出先グループに切り替わったら、前記通常呼出先グループに属する個々のインターホン親機に対して切り替わった旨を通知する通知信号を送信し、
前記通知信号を受けたインターホン親機は、転送設定に切り替わったことを表示する表示部を有することを特徴とする請求項１記載のインターホンシステム。
【請求項３】
前記通常呼出先グループのインターホン親機は、前記インターホン子機の呼出先を、転送呼出先グループから通常呼出先グループに戻す復旧操作部を有することを特徴とする請求項１又は２記載のインターホンシステム。
【請求項４】
前記通常呼出先グループ及び前記転送呼出先グループの双方に共通するインターホン親機が登録されている場合、
前記子機呼出制御部は、共通するインターホン親機において転送操作が成されたら、当該インターホン親機を転送設定が解除されるまで転送呼出先グループから除外し、前記インターホン子機が呼出操作を受けても呼出信号を送信しないことを特徴とする請求項１乃至３の何れかに記載のインターホンシステム。
【発明の詳細な説明】
【技術分野】
【０００１】
本発明は、呼び出し／通話機能を備えたインターホン子機と、通話機能を備えた複数のインターホン親機とを有し、機器同士が通信ネットワークを介して接続されたインターホンシステムに関する。
【背景技術】
【０００２】
従来より、呼び出し／通話機能を備えたインターホン子機と、通話機能を備えた複数のインターホン親機とを有し、機器同士がＬＡＮ等の通信ネットワークを介して接続されたインターホンシステムがある。このようなインターホンシステムの場合、同時に複数のインターホン親機が呼び出された場合、映像信号や音声信号は共通する伝送線を介して送信されるため、通信量の増加による遅延やエラーの発生を防ぐために、送信するデータ量を削減する工夫が成された。
例えば、特許文献１では、ＬＡＮ上のリンク数をカウントして、リンク数に応じて伝送する映像信号のフレームレートを変更した。
【先行技術文献】
【特許文献】
【０００３】
【特許文献１】特開２０１３−４６２３３号公報
【発明の概要】
【発明が解決しようとする課題】
【０００４】
上記特許文献１の技術は、リンク数が増加した場合には有効であるが、通信ネットワークを介してインターホン親機を複数備えたシステムでは、リンクが形成される前の呼出時にも通信量が一時的に増大する場合がある。これは、呼出先のインターホン親機が応答者の不在等で転送設定されている場合で、複数の呼出先が何れも転送設定され且つ何れも転送先が複数設定されている場合、一斉に呼び出しの転送が実施されることになり、通信ネットワーク上で発生する呼出信号数が一時的に大きな値になる。
そのため、呼出時に想定外の問題が発生する可能性があり、このような状況を解決するには、特許文献１の技術は不十分であった。
【０００５】
そこで、本発明はこのような問題点に鑑み、通信ネットワークを介して複数のインターホン親機が接続された構成において、呼び出しが転送されてもスムーズな呼び出しを実施できるインターホンシステムを提供することを目的としている。
【課題を解決するための手段】
【０００６】
上記課題を解決する為に、請求項１の発明は、呼び出し／通話機能を備えたインターホン子機と、通話機能を備えた複数のインターホン親機とが通信ネットワークを介して接続されたインターホンシステムにおいて、インターホン子機は、複数のインターホン親機に対して一斉に呼出信号を送信し、応答操作したインターホン親機との間で双方向の音声信号の伝送を実施する子機呼出制御部と、一斉に呼び出す呼出先インターホン親機のグループを記憶する呼出先記憶部とを有し、呼出先記憶部には、最初に呼び出す通常呼出先グループと転送設定された場合の転送呼出先グループとが記憶され、子機呼出制御部は、通常呼出先グループの中の何れかのインターホン親機が転送設定に切り替えられたら、呼出先を通常呼出先グループから転送呼出先グループに切り替えることを特徴とする。
この構成によれば、１台のインターホン親機が転送設定されたら、同一グループの他のインターホン親機もインターホン子機において転送設定と見なされて呼出先が転送呼出先グループに切り替えられる。よって、転送時の呼出信号数の最大値はインターホン子機が記憶するグループのインターホン親機の数で決定され、個々のインターホン親機で転送先を設定した従来のように、想定外に呼出信号が輻輳して通信容量オーバーが発生する事態を防ぐことができる。
尚、通信ネットワークとは、インターネットや電話網等のＷＡＮや、ビル内等の域内に配設されたＬＡＮを言う。
【０００７】
請求項２の発明は、請求項１に記載の構成において、呼出制御部は、インターホン子機の呼出先が転送呼出先グループに切り替わったら、通常呼出先グループに属する個々のインターホン親機に対して切り替わった旨を通知する通知信号を送信し、通知信号を受けたインターホン親機は、転送設定に切り替わったことを表示する表示部を有することを特徴とする。
この構成によれば、転送設定されたら通常呼出グループに属するインターホン親機の表示部にそれが表示されるため、操作者等関係者は転送設定されたことを認識できる。
【０００８】
請求項３の発明は、請求項１又は２に記載の構成において、通常呼出先グループのインターホン親機は、インターホン子機の呼出先を、転送呼出先グループから通常呼出先グループに戻す復旧操作部を有することを特徴とする。
この構成によれば、通常呼出先グループに属するインターホン親機であれば、転送設定操作したインターホン親機でなくとも転送設定を解除できるため、便利である。
【０００９】
請求項４の発明は、請求項１乃至３の何れかに記載の構成において、通常呼出先グループ及び転送呼出先グループの双方に共通するインターホン親機が登録されている場合、子機呼出制御部は、共通するインターホン親機において転送操作が成されたら、当該インターホン親機を転送設定が解除されるまで転送呼出先グループから除外し、インターホン子機が呼出操作を受けても呼出信号を送信しないことを特徴とする。
この構成によれば、通常呼出先グループ及び転送呼出先グループの双方に登録されたインターホン親機において転送設定が成された場合、このインターホン親機は転送先から除外されるので、インターホン子機が呼出操作されても呼出音が報音されない。そのため、操作者は転送設定したことを認識し易い。
【発明の効果】
【００１０】
本発明によれば、少なくとも１台のインターホン親機が転送設定されたら、呼出先グループを構成する他のインターホン親機もインターホン子機において転送設定に切り替えられる。よって、転送時の呼出信号数の最大値はインターホン子機が記憶するグループのインターホン親機の数で決定され、個々のインターホン親機で転送先を設定した従来のように、想定外に呼出信号が輻輳して通信容量オーバーが発生する事態を防ぐことができる。
【図面の簡単な説明】
【００１１】
【図１】本発明に係るインターホンシステムの一例を示す構成図である。
【図２】インターホン子機が記憶する呼出先グループの表図である。
【図３】インターホン親機の表示部の表示説明図である。
【図４】呼出先グループの他の例を示す表図である。
【発明を実施するための形態】
【００１２】
以下、本発明を具体化した実施の形態を、図面を参照して詳細に説明する。図１は本発明に係るインターホンシステムの一例を示す構成図であり、主要機器を回路ブロック図で示している。図１に示すように、インターホン子機（以下、単に「子機」と称する。）１と複数のインターホン親機（以下、単に「親機」と称する。）２とが通信ネットワーク３を介して接続されている。
尚、図１では親機２を６台（第１親機２ａ，第２親機２ｂ，・・・第６親機２ｆ）接続した構成を示している。また、通信ネットワーク３とは、インターネットや電話網等のＷＡＮや、ＬＡＮを言う。
【００１３】
子機１は、訪問者が呼出操作する呼出ボタン１１、訪問者を撮像するためのカメラ１２、通話するためのマイク１３及びスピーカ１４、呼出先親機２を記憶する子機メモリ１５、子機１全体を制御する子機ＣＰＵ１６、親機２と通信するために通信ネットワークに接続する子機通信ＩＦ１７等を備えている。
子機メモリ１５には、通常時に呼び出す親機２のグループと、転送設定された場合に呼び出す親機２のグループの２グループが記憶されている。
【００１４】
親機２は、呼び出しに応答するための通話ボタン２１、通話するためのマイク２２及びスピーカ２３、転送設定に切り替える切替ボタン２４、カメラ１２の撮像映像を表示する表示部２５、各種操作をするために表示部２５上に設けられたタッチパネルからなる操作部２６、親機２全体を制御する親機ＣＰＵ２７、子機１と通信するために通信ネットワーク３に接続する親機通信ＩＦ２８等を備えている。
【００１５】
上記の如く構成されたインターホンシステムの動作は以下の様である。最初に、転送設定前と転送設定後の呼出先グループが重複しない場合を説明する。
子機メモリ１５には、例えば図２に示すような親機２のグループが登録されている。図２では、通常呼び出しでは「切替前」に登録された第１〜第３親機２ａ〜２ｃを呼び出し、転送設定後は「切替後」に登録された第４〜第６親機２ｄ〜２ｆを呼び出すよう設定された状態を示している。
【００１６】
具体的に、通常状態で呼出ボタン１１が押下されると、子機ＣＰＵ１６の制御により第１〜第３親機２ａ〜２ｃに一斉に呼出信号が送信され、カメラ１２の撮像映像を同様に第１〜第３親機２ａ〜２ｃに送信する。
呼出信号を受信した親機２は、親機ＣＰＵ２７の制御によりスピーカ２３から呼出音が報音され、表示部２５に受信したカメラ１２の撮像映像が表示される。この状態で例えば第１親機２ａの通話ボタン２１が操作されると、子機１との間で通話路が形成されて訪問者と応答者の間で通話が可能となる。
また、通話路形成を検知した子機ＣＰＵ１６は、通話ボタン２１を操作した第１親機２ａにのみ映像信号の送信を継続し、第２、第３親機２ｂ、２ｃへの映像信号の送信を停止する。
【００１７】
その後、通話を終了するために応答者が第１親機２ａの通話ボタン２１を再度操作すると、親機ＣＰＵ２７から通話終了信号が子機１に送信され、通話路が切断される。また、通話終了信号を受信した子機ＣＰＵ１６は、第１親機２ａへの映像信号の送信を停止する。
【００１８】
一方、呼び出し／通話状態にない待受状態において、第１〜第３親機２ａ〜２ｃの何れかの切替ボタン２４が押下操作されると、親機ＣＰＵ２７により転送設定信号が子機１へ送信され、転送設定信号を受信した子機１は、呼出信号の送信先が図２の「切替後」に示す親機２のグループに設定される。
また、転送設定信号を受信した子機ＣＰＵ１６は、通常時の呼出先である第１〜第３親機２ａ〜２ｃに対して転送移行信号（通知信号）を送信し、転送移行信号を受信した親機２は、表示部２５に転送状態に移行したことが表示される。
図３はこの表示部２５の表示を示し、「切替中」により転送設定されたことが表示され、合わせて転送設定を解除して通常状態に復旧させるための復旧ボタン２６ａが「復旧」の文字でタッチパネル上に表示される。
【００１９】
この転送設定された状態で呼出ボタン１１が押下されると、子機ＣＰＵ１６は図２の「転送後」の欄に記載された第４〜第６親機２ｄ〜２ｆに呼出信号を送信する。また、カメラ１２の撮像映像を同様に第４〜第６親機２ｄ〜２ｆに送信する。呼出信号を受信した親機２は、親機ＣＰＵ２７の制御によりスピーカ２３から呼出音が報音され、表示部２５に受信したカメラ１２の撮像映像が表示される。
この状態で例えば第４親機２ｄの通話ボタン２１が操作されると、子機１との間で通話路が形成されて訪問者と応答者の間で通話が可能となる。また、通話路形成を検知した子機ＣＰＵ１６は、通話ボタン２１を操作した第４親機２ｄにのみ映像信号の送信を継続し、第５、第６親機２ｅ、２ｆへの映像信号の送信を停止する。
【００２０】
その後、通話を終了するために応答者が第４親機２ｄの通話ボタン２１を再度操作すると、親機ＣＰＵ２７から通話終了信号が子機１に送信され、通話路が切断される。また、通話終了信号を受信した子機ＣＰＵ１６は、第４親機２ｄへの映像信号の送信を停止する。
尚、待受状態で第１〜第３親機２ａ〜２ｃの何れかの表示部２５に表示されている復旧ボタン２６ａがタッチ操作されると、転送設定が解除されて通常状態に復旧する。
【００２１】
このように、１台の親機２が転送設定されたら、同一グループの他の親機２も子機１において転送設定に切り替えられる。よって、転送時の呼出信号数の最大値は子機１が記憶するグループを構成する親機２の数で決定され、個々の親機２で転送先を設定した従来のように、想定外に呼出信号が輻輳して通信容量オーバーが発生する事態を防ぐことができる。
また、転送設定されたら通常呼出グループに属する親機２の表示部２５にそれが表示されるため、操作者等関係者は転送設定されたことを確実に認識できる。
更に、通常呼出先グループに属する親機２であれば、転送設定操作した親機２でなくとも転送設定を解除できるため、便利である。
【００２２】
次に、転送設定前と転送設定後の双方に共通する親機２が登録されて、呼出先が重複している場合の動作を説明する。図４は子機メモリ１５が記憶する重複した一例を示し、第２親機２ｂ、第３親機２ｃの２台が重複している。以下、転送切り替えを中心に動作を説明する。
待受け状態で、例えば第２親機２ｂの切替ボタン２４が押下されると、親機ＣＰＵ２７により転送設定信号が子機１へ送信され、転送設定信号を受信した子機１は、呼出信号の送信先が図４の「切替後」に示す親機２のグループに変更される。
【００２３】
また、転送設定信号を受信した子機ＣＰＵ１６は、通常時の呼出先である第１〜第３親機２ａ〜２ｃに対して転送移行信号（通知信号）を送信し、転送移行信号を受信した第１〜第３親機２ａ〜２ｃでは、上述した如く図３に示すような画面が表示部２５に表示される。
そして子機ＣＰＵ１６は、転送設定操作した第２親機２ｂは図４に示すように転送先としても設定されているため、この場合一時的に転送先から除外する。尚、同様に第３親機２ｃにおいて転送設定された場合は、第３親機２ｃが一時的に転送先から除外される。
【００２４】
この転送設定された状態で呼出ボタン１１が押下されると、子機ＣＰＵ１６は図４の「転送後」の欄に記載された第２〜第６親機２ｂ〜２ｆのうち、除外された第２親機２ｂを除く第３〜第６親機２ｃ〜２ｆに呼出信号を送信すると共に、カメラ１２の撮像映像を合わせて第３〜第６親機２ｃ〜２ｆに送信し、表示部２５に映像が表示される。
そして、転送設定に切替操作を行なった第２親機２ｂ、及び転送設定後の呼出先ではない第１親機２ａについては、呼出時も表示部２５には図３に示すような画面が引き続き表示される。この第２親機２ｂの除外動作は、復旧ボタン２６ａが操作されて転送設定が解除されたらリセットされる。
【００２５】
尚、復旧操作は、第１〜第３親機２ａ〜２ｃの何れからでも実施することができる。また、転送先に設定されていない第１親機２ａから転送設定操作した場合は、上記実施形態と同様であり、図４の「切替後」の欄に設定された第２〜第６親機２ｂ〜２ｆに対して呼出信号が送信される。
【００２６】
このように、通常呼出先グループ及び転送呼出先グループの双方に登録された親機２において転送設定が成された場合、この親機２は転送先から除外されるので、子機１が呼出操作されても呼出音が報音されない。そのため、操作者は転送設定したことを認識し易い。
【００２７】
上述したインターホンシステムの好適な使用例としては、例えば昼間等の乗降客の少ない時間帯に駅員が不在となる半無人駅がある。このような駅の場合、半無人駅の駅員室やホームに親機２を設置し、更に常時駅員の居る駅の駅員室等にも複数の親機２を設置すると共に、半無人駅に子機１を設置する。
こうして半無人駅において駅員が不在となり無人駅となる際に、立ち去る駅員が駅内のどこかの親機（例えば、上り線ホーム親機）２を転送設定に切替操作すれば、半無人駅の子機１からの呼び出しは全て有人駅の親機２に転送させることができる。
そして、再び現れた駅員が半無人駅内のどこかの親機（例えば、下り線ホーム親機）２で復旧ボタン２６ａを操作をすれば、転送設定が解除されて半無人駅内の子機１の呼び出しは、半無人駅内の複数の親機２に対して実施される。
【符号の説明】
【００２８】
１・・インターホン子機、２・・インターホン親機、３・・通信ネットワーク、１１・・呼出ボタン、１５・・子機メモリ（呼出先記憶部）、１６・・子機ＣＰＵ（子機呼出制御部）、２１・・通話ボタン、２４・・切替ボタン、２５・・表示部、２６・・操作部、２６ａ・・復旧ボタン（復旧操作部）、２７・・親機ＣＰＵ。
【図１】
2014229989.tif 000003
【図２】
2014229989.tif 000004
【図３】
2014229989.tif 000005
【図４】
2014229989.tif 000006